(57)【特許請求の範囲】
【請求項１】
圧縮天然ガスを燃料とするエンジンを搭載し、屋根上にその圧縮天然ガスのボンベ（３）を搭載したバスの車体構造において、バス車体（１）の屋根上にボンベ搭載用機構を装着し、そのボンベ搭載用機構は、屋根板（４）の室内側にバス中心軸の直角方向に延びる複数の補強用垂木（５）を設け、屋根板（４）を挟んでその対向側にその垂木（５）を跨いでバス中心軸と平行方向に延びる複数の縦部材（６）を設け、その縦部材（６）上にボンベ取付フレーム（２０）を固設し、そのフレーム（２０）上に複数のボンベ（３）をバス中心軸と直交する方向に向け前後に並べてブラケット（１８）により取り付けており、それらのボンベ（３）を覆ってカバー部材（１０）を装着し、そのカバー部材（１０）の裾の部分は全周に亘り屋根板（４）とは間隙（ｓ）を付して通気・排水可能とし、かつカバー部材の後面（Ｒ）にはスリット状の排気孔（１４）を設け、さらにカバー部材の左右両側面（Ｌ、Ｒ）にはそれぞれ点検窓（１３、１３）を設け、その点検窓（１３）とその蓋（１５）との間には隙間（ｓ１）を有して通気可能に構成し、そしてカバー部材（１０）の左右両側面（Ｌ、Ｒ）をボンベ（３）の前方向を覆う端面（Ｆ）よりそれぞれ延長して先下がりに傾斜した板状の突起部（１１、１１）を形成し、その両突起部（１１、１１）間を機器類の設置スペースとし、それぞれの突起部（１１、１１）の内部に補強枠体（１２）を設けてその上端部を互いに連結しボンベを保護していることを特徴とする圧縮天然ガスエンジン搭載バスの車体構造。
【請求項２】
さらに前記カバー部材の左右両側面（Ｌ、Ｒ）をボンベ（３）の後方向を覆う端面（Ｒ）よりそれぞれ延長して先下がりに傾斜した板状の突起部（１１、１１）を形成し、その両突起部（１１、１１）間を機器類の設置スペースとし、それぞれの突起部（１１、１１）の内部に補強枠体（１２）を設けてその上端部を互いに連結してボンベを保護している請求項１に記載の圧縮天然ガスエンジン搭載バスの車体構造。
【請求項３】
前記カバー部材（１０）の左右両側面（Ｌ、Ｒ）を延長して形成した突起部（１１、１１）の内部に前方からみて上方が開く角度をつけボンベの配管を保護するように形成した補強枠体（１２Ａ）を設けた請求項１に記載の圧縮天然ガスエンジン搭載バスの車体構造。
【請求項４】
さらに前記カバー部材の左右両側面（Ｌ、Ｒ）をボンベ（３）の後方向を覆う端面（Ｒ）よりそれぞれ延長して先下がりに傾斜した板状の突起部（１１、１１）を形成し、それぞれの突起部（１１、１１）の内部に後方からみて上方が開く角度をつけボンベの配管を保護するように形成した補強枠体（１２Ａ）を設けた請求項３に記載の圧縮天然ガスエンジン搭載バスの車体構造。
【発明の詳細な説明】
【０００１】
【発明の属する技術分野】
本発明は、圧縮天然ガス（以下、本明細書では「ＣＮＧ」と記載する）を燃料とするエンジン（圧縮天然ガスエンジン：ＣＮＧエンジン）を搭載したバスの車体構造に関し、特に屋根上に搭載するＣＮＧボンベの搭載機構、及びそのカバー部材に関する。
【０００２】
【従来の技術】
従来、ＣＮＧエンジンで運転されるバスは、床下部分にボンベを搭載しており、そのレイアウトには、種々の規制或いは制限がある。
【０００３】
しかし、公共の乗り物であるバスは、高福祉化の点から低床化が望まれているが、ＣＮＧボンベが床下に有ると低床化が困難である。
【０００４】
ここで、ＣＮＧボンベを屋根上に搭載することで、そのような規制や制限からは解放される。例えば、１９９６年９月３０日から１０月４日まで、マレーシアのクアラルンプール市のプトラ世界貿易センターで開催された「天然ガスを用いた自動車の９６年会議及び博覧会」に、ＣＮＧボンベが屋根上に搭載されバスが展示された。
【０００５】
しかし、ＣＮＧボンベは重量大（１６５リットルＦＲＰ製のボンベで６５Ｋｇ、１２５リットル鋼製のボンベで１６０Ｋｇ）であるため、バスの屋根上に搭載することは、強度上の困難があった。上記した「天然ガスを用いた自動車の９６年会議及び博覧会」に展示されたバスに関しては、かかる強度上の問題をクリアするものではない。したがって、重量物であるＣＮＧボンベをバスの屋根上に搭載するための構成は示されていない。また、重量物の搭載は、その搭載位置により、前後輪重量荷重の配分の問題も生じる。
【０００６】
これに対して発明者は種々研究の結果、最近、強度上の問題を解決し、重量物であるＣＮＧボンベをバスの屋根上に搭載する技術を開発した。
【０００７】
この技術によってＣＮＧボンベを屋根上に搭載したバスが実用化されるに至ったが、屋根上にボンベが露出した状態では見栄えが悪く、そこで、ボンベをカバー部材で覆うことが考えられるが、屋根上にカバー等を設けるとその他の機器とのスペースの取り合いやその配設位置による前後輪荷重の配分、あるいは、カバー部材の内部空間やボンベ周辺の空間に熱気がこもって、当該空間内部の圧力が上昇してしまうという問題が起こり、特に、気温が高い夏期においては、この問題は大きい。
【０００８】
従来の技術では、ＣＮＧボンベを屋根上に搭載したバス自体が新規であるため、上記したような問題は考慮されていない。すなわち、従来技術においては、何等解決策は提案されていない。
【０００９】
なお、従来技術としては、本出願人によって実開平７−２１４２１号公報、及び実開平７−２４６２２号公報に車両のフレームより下方にボンベを取り付ける技術が開示されている。さらに、特開平７−１１７４９６号公報、特開平７−２２３４４７号公報、及び実開平６−３９８９３号公報に燃料ガスボンベの支持構造が開示されている。しかし、これ等の技術は、いずれも、強度上無理なくバスの屋根上にボンベを搭載するものではなく、また、ボンベをカバー部材で覆った場合にその内部に熱気がこもるという問題を解決するものではない。
【００１０】
【発明が解決しようとする課題】
本発明は、上記した従来技術の問題点に対して提案されたもので、屋根上に搭載したボンベを覆って見栄えを改善し、かつ、その他の機器類とのスペースの取り合いや前後輪荷重の配分の問題、そしてカバー内部に熱気がこもるということがなく、それに起因して発生する種々の問題を解決できるバスの車体構造を提供することを目的としている。
【００１１】
【課題を解決するための手段】
本発明によれば、圧縮天然ガスを燃料とするエンジンを搭載し、屋根上にその圧縮天然ガスのボンベ（３）を搭載したバスの車体構造において、バス車体（１）の屋根上にボンベ搭載用機構を装着し、そのボンベ搭載用機構は、屋根板（４）の室内側にバス中心軸の直角方向に延びる複数の補強用垂木（５）を設け、屋根板（４）を挟んでその対向側にその垂木（５）を跨いでバス中心軸と平行方向に延びる複数の縦部材（６）を設け、その縦部材（６）上にボンベ取付フレーム（２０）を固設し、そのフレーム（２０）上に複数のボンベ（３）をバス中心軸と直交する方向に向け前後に並べてブラケット（１８）により取り付けており、それらのボンベ（３）を覆ってカバー部材（１０）を装着し、そのカバー部材（１０）の裾の部分は全周に亘り屋根板（４）とは間隙（ｓ）を付して通気・排水可能とし、かつカバー部材の後面（Ｒ）にはスリット状の排気孔（１４）を設け、さらにカバー部材の左右両側面（Ｌ、Ｒ）にはそれぞれ点検窓（１３、１３）を設け、その点検窓（１３）とその蓋（１５）との間には隙間（ｓ１）を有して通気可能に構成し、そしてカバー部材（１０）の左右両側面（Ｌ、Ｒ）をボンベ（３）の前方向を覆う端面（Ｆ）よりそれぞれ延長して先下がりに傾斜した板状の突起部（１１、１１）を形成し、その両突起部（１１、１１）間を機器類の設置スペースとし、それぞれの突起部（１１、１１）の内部に補強枠体（１２）を設けてその上端部を互いに連結しボンベを保護している。
【００１２】
そして、本発明によれば、さらに前記カバー部材の左右両側面（Ｌ、Ｒ）をボンベ（３）の後方向を覆う端面（Ｒ）よりそれぞれ延長して先下がりに傾斜した板状の突起部（１１、１１）を形成し、その両突起部（１１、１１）間を機器類の設置スペースとし、それぞれの突起部（１１、１１）の内部に補強枠体（１２）を設けてその上端部を互いに連結しボンベを保護している。
【００１３】
または、本発明によれば、前記カバー部材（１０）の左右両側面（Ｌ、Ｒ）を延長して形成した突起部（１１、１１）の内部に前方からみて上方が開く角度をつけボンベの配管を保護するように形成した補強枠体（１２Ａ）を設けている。
そして、さらに前記カバー部材の左右両側面（Ｌ、Ｒ）をボンベ（３）の後方向を覆う端面（Ｒ）よりそれぞれ延長して先下がりに傾斜した板状の突起部（１１、１１）を形成し、その突起部（１１、１１）の内部に後方からみて上方が開く角度をつけボンベの配管を保護するように形成した補強枠体（１２Ａ）を設けている。
【００１４】
したがって、本発明によれば、カバー部材は、その左右両側面はボンベを覆った部分より延長され、見栄えが良く、その左右両突起部に挟まれたスペースには他の機器類の配設が可能で、その分、重量物であるボンベの配設位置の自由度が増え、軸重の配分が有利に行える。
【００１８】
したがって、本発明によれば、カバー部材の裾の部分に形成された間隙から、カバー内の熱気が排出され、また、例え、雨水が侵入した場合においても容易に排水される。また、後面のスリット状の排気孔からも排気され、側面点検孔は、内部のボンベの点検、あるいはカバー部材の着脱作業と共に通気が行える。
【００２０】
このような構成によって、重量物であるボンベの屋根上への搭載が強度上の無理がなく達成できると共に、カバー部材の配設が容易に行える。
【００２１】
【発明の実施の形態】
以下、図面を参照して本発明の実施形態を説明する。
図１にバス車体１の屋根上に装着されたボンベ搭載用機構２の概要が示されている。本実施形態ではＣＮＧボンベ３の中心軸を車両中心軸に対して直角方向に向け、４本を前後方向に並べて搭載するボンベ搭載用機構２が装着されている。屋根板４の内側には強度部材の垂木５ａ、５ｂ、５ｃ、５ｄ（総称する場合は５と略記する。）が設けられ、屋根板４を挟んでその対向側にそれらの垂木５を跨いでバス中心軸に平行に延びる複数の縦部材６が設けられており、その縦部材６及びボンベ取付フレーム２０を介して前記ボンベ３が取付けられ、その上にこの図に示してないカバー部材１０が装着される。
【００２２】
ボンベ取付フレーム２０は、図２及び図３に示すように、矩形中空管材によって井桁状に構成されている。横材２２および縦材２３は同形材で、結合部は溶接とリブ２４による補強で固定されている。横材２２の両端部に固着された不等長アングル状の部材２６はボルト孔２６ａが穿孔されて縦部材６にボルト２１で固定するよう構成されている。また、縦材２３の上面に穿孔された複数のボルト孔２５は、ボンベブラケット１８（図３参照）を結合するためのボルト挿入用の貫通孔として形成されている。
【００２３】
カバー部材１０は、図４〜図６に示すように、４本のボンベ３を覆い、その左右の両側面Ｌ、Ｒは車両前面Ｆよりさらに延長され、前下がりに傾斜して延び、板状の突起部１１、１１が形成されている。そして、その突起部１１、１１の内部には、それぞれ三角形状の補強枠体１２が設けられ、その上端部は互いに連結されている。
【００２４】
なお、このカバー部材１０の取り付けは、図６に示されているように側面内側に突設された板材１６とボンベ取付フレーム２０とがボルトによって固着され、後記する点検孔１３から締め付けが行えるようになっている。
【００２５】
ＣＮＧボンベ３は重量物であり、一般にバスにおいてはエンジンが後部にあるため、前後軸の荷重配分からは車両の前方寄りに搭載することが好ましい。このように、カバー部材１０は、その前方側は左右両端部のみが突起部１１、１１として延長され、その間のスペースを他の機器類、例えば換気扇やアンテナ等の配設スペースとして有効に利用できる。言い換えれば、他の機器類とぎりぎりの所までボンベ３を前進して配設することができる。
【００２６】
そして、カバー部材１０の裾の部分は、全周に渡って屋根板４と間隙ｓを有して形成され、カバー内部の熱気等の通気が可能で、さらに、例え、雨水が侵入した場合においても排水が可能である。
【００２７】
また、カバー部材１０の後面Ｒにもこの例では２か所のスリット状の排気孔１４、１４が設けられている。さらに両側面Ｌ、Ｒには点検孔１３、１３が設けられ、その蓋１５、１５との間には隙間ｓ１を有しており、同様に通気可能になっている。
【００２８】
図７及び図８に示す実施形態は、カバー部材１０Ａの両側面Ｌ、Ｒは前後に延長され、それぞれ突起部１１が設けられている。このようにすることで、見栄えはさらに向上する。
【００２９】
次に、図９に示す実施形態では、突起部１１、１１内に設けられた補強枠体１２Ａの左右の三角形状の斜辺を形成する部分は、前方より見て上方が開くような角度を付けて立設されている。このようにすることで、ボンベ３の配管（Ｐ）を前方からの物体の衝突から保護できる。
【００３０】
また、図１０には、前記図７及び図８に示した前後両方向に突起部１１を設けた例に対して同様に補強枠体１２Ａを傾斜させた実施形態が示されている。
【００３１】
尚、燃料ボンベが４個搭載されている例を示したが、これに限定するものではない。
【００３２】
【発明の効果】
本発明は、以上説明したように構成され、以下の効果を奏する。
（ａ）  カバー部材はその側面が内部に搭載されたボンベより延長され、特に、側方から見て、見栄えが良い。
（ｂ）  カバー部材の左右の突起部間のスペースには他の機器類、例えば換気扇やアンテナ等を配設することができる。すなわち、それだけボンベ自体を他の機器類に接近させることで、前軸側に重量荷重を移し、重量配分を有利にすることができる。
（ｃ）  カバー部材の裾の部分と屋根板との間隙、後面のスリット状の排気孔、側面の点検孔と蓋との間の間隙等によってカバー内の熱気を容易に逃がすことができる。
（ｄ）  突起部内の補強枠体は、上方の障害物、例えば陸橋・ガード等との衝突が起きた場合に、ボンベ配管を保護する。
【図面の簡単な説明】
【図１】本発明を実施するＣＮＧエンジン搭載バスのボンベ搭載状態を示す斜視図。
【図２】ボンベ取付けフレームを示す平面図。
【図３】ボンベ取付けフレームにボンベを取り付けた状態を示す正面図。
【図４】カバー部材を示す平面図。
【図５】図４の側面図。
【図６】図４のＡ−Ａ断面図。
【図７】本発明のカバー部材の別の実施形態を示す平面図。
【図８】図７の平面図。
【図９】本発明のさらに別の実施形態を示す平面図。
【図１０】本発明のさらに別の実施形態を示す平面図。
【符号の説明】
１・・・バス車体
２・・・ボンベ搭載用機構
３・・・ボンベ
４・・・屋根板
５・・・垂木
６・・・縦部材
１０、１０Ａ・・・カバー部材
１１・・・突起部
１２、１２Ａ・・・補強枠体
１３・・・点検孔
１４・・・排気孔
１５・・・蓋
１８・・ボンベブラケット
２０・・ボンベ取付けフレーム
【図１】
0003651653.tif 000002
【図２】
0003651653.tif 000003
【図３】
0003651653.tif 000004
【図４】
0003651653.tif 000005
【図５】
0003651653.tif 000006
【図６】
0003651653.tif 000007
【図７】
0003651653.tif 000008
【図８】
0003651653.tif 000009
【図９】
0003651653.tif 000010
【図１０】
0003651653.tif 000011